(57)【要約】【課題】上衣の丈の長さを調節することができ、裾部が折曲げられた状態における折曲げ部の上隅部の反りの発生を防止することができる上衣、そしてその状態の下側部の膨らみを防止することができる上衣を提供すること。【解決手段】丈の長さを調整することができる上衣１００であって、裾部１を裏側に折曲げて前記上衣１００の裏側に固定するための留め手段１０と、その折曲げられた折曲げ部２の少なくとも上隅部２ａの反りを防止する反り防止手段２０とを備えている。【選択図】　図１
2004036014.tif 000002
【特許請求の範囲】
【請求項１】
丈の長さを調整することができる上衣であって、
裾部を裏側に折曲げて前記上衣の裏側に固定するための留め手段と、
その折曲げられた折曲げ部の少なくとも上隅部の反りを防止する反り防止手段とを備えていることを特徴とする上衣。
【請求項２】
丈の長さを調整することができる上衣であって、
裾部を裏側に折曲げて前記上衣の裏側に固定するための留め手段と、
その折曲げられた折曲げ部の膨らみを軽減する膨らみ軽減手段とを備えていることを特徴とする上衣。
【請求項３】
丈の長さを調整することができる上衣であって、
裾部を裏側に折曲げて前記上衣の裏側に固定するための留め手段と、
その折曲げられた折曲げ部の少なくとも上隅部の反りを防止する反り防止手段と、
前記折曲げ部の膨らみを軽減する膨らみ軽減手段とを備えていることを特徴とする上衣。
【請求項４】
反り防止手段は、前身頃の側縁部において、一辺が開口する小袋状に形成されていることを特徴とする請求項１又は３に記載の上衣。
【発明の詳細な説明】
【０００１】
【発明の属する技術分野】
本発明は、丈の長さを調節できるようにした上衣に関する。
【０００２】
【従来の技術】
従来から、上衣は、一般に、丈の長さを長く形成したコート系と、丈の長さを短く形成したジャケット系とに大別されており、用途に合わせて使い分けて使用されている。例えば、防寒のために全身を覆いたいときにはコート系を着用し、身軽に動きたいときにはジャケット系を着用するなどである。
【０００３】
しかしながら、これらの上衣は、あらかじめ丈の長さが決められており、その長さを調節できなかった。したがって、用途に応じて丈の長さが違う複数種の上衣を用意しなければならず、不経済であるという問題点があった。
【０００４】
一方で、一つの上衣で丈の長さを調節可能とした上衣としては、例えば、実開平１−１４１７１８号公報に記載された丈の長さを調節できるようにしたコートの技術が提案されている。このコートは、コートの裾部に止め具を設け、内側に折曲げ、丈の長さを調節できるようにしたものである。
【０００５】
このコートによれば、コート裏の裾部及び内側に止め具を設けているので、裾部を折り曲げて固定することにより、手軽に丈の長さを調節でき、自動車・オートバイのような活動的な場面でも、安全に快適に使うことができるというものである。
【０００６】
しかしながら、裾部を折曲げた状態における折曲げ部の上隅部は、その折曲げ部の自重により、下方へ反ってしまうという問題点があった。このような折曲げ部の反りが生じてしまうと、例えば、着衣者の腹部のあたりで障害物となってしまう。あるいは、デザイン的にも裾部を折曲げた状態がスッキリとせず、見栄えが良くなかった。特に、衣類の左右の前身頃相互を止めないで着衣する場合には、上隅部の反りが目に付き、見栄えが良くない。また、コートの表側と裏側の生地の内部に綿のような充填物が充填されている場合には、折曲げた状態における折曲げ部が膨らんでしまうという問題点があった。
【０００７】
【発明が解決しようとする課題】
そこで、本発明は以上のような問題点に鑑みてなされたものであり、本発明が、解決しようとする課題は、上衣の丈の長さを調節することができ、裾部が折曲げられた状態における折曲げ部の上隅部の反りの発生を防止することができる上衣、そしてその状態の折曲げ部の膨らみを軽減することができる上衣を提供することである。
【０００８】
【課題を解決するための手段】
上記課題を解決するため、本発明が採った手段は、図面に使用する符号を付して説明すると、「丈の長さを調整することができる上衣１００であって、裾部１を裏側に折曲げて前記上衣１００の裏側に固定するための留め手段１０と、その折曲げられた折曲げ部２の少なくとも上隅部２ａの反りを防止する反り防止手段２０とを備えている」ことを特徴としている。
【０００９】
この請求項１の手段によれば、留め手段１０を備えたことにより、所定長さを有する裾部１を折曲げて上衣１００の裏側へ留めることができ、その状態を保持することができる。これにより、上衣１００の丈の長さは、容易に短く調節されることとなる。また、短くされた上衣１００の丈の長さは、留め手段１０による固定を解除して、長く調節されることとなる。さらに、反り防止手段２０を備えているので、折曲げられた状態における折曲げ部２の少なくとも上隅部２ａは、反り防止手段２０によって上衣１００の裏側にぴったりと押さえつけられ、反り発生が防止される。
【００１０】
また、請求項２記載の発明が採った手段は、「丈の長さを調整することができる上衣１００であって、裾部１を裏側に折曲げて前記上衣１００の裏側に固定するための留め手段１０と、その折曲げられた折曲げ部２の膨らみを軽減する膨らみ軽減手段３０とを備えている」ことを特徴としている。
【００１１】
この請求項２の手段によれば、上記と同様、裾部１を折曲げて固定することができ、上衣１００の丈の長さを調節することができる。さらに、折曲げられた状態における折曲げ部２の膨らみを軽減することができ、デザイン上もスッキリとしたイメージを与えることができる。
【００１２】
また、請求項３記載の発明が採った手段は、「丈の長さを調整することができる上衣１００であって、裾部１を裏側に折曲げて前記上衣１００の裏側に固定するための留め手段１０と、その折曲げられた折曲げ部２の少なくとも上隅部２ａの反りを防止する反り防止手段２０と、前記折曲げ部２の膨らみを軽減する膨らみ軽減手段３０とを備えている」ことを特徴としている。
【００１３】
この請求項３の手段によれば、留め手段１０と、反り防止手段２０と、膨らみ軽減手段３０とを備えているので、裾部１を折曲げて丈の長さを調節することができるとともに、折曲げ部２の反りを防止することができ、さらに、折曲げ部２の膨らみを軽減できる。
【００１４】
さらに、請求項４記載の発明が採った手段は、請求項１又は３に記載の上衣１００において、「反り防止手段２０は、前身頃５の側縁部７において、一辺が開口する小袋状に形成されている」ことを特徴としている。
【００１５】
この請求項４の手段によれば、反り防止手段２０が前身頃５の側縁部７に形成されているので、この側縁部７において上隅部２ａを確実に上衣１００の裏側にぴったりと押さえつけることができ、反りの発生を防止できる。さらに、一辺が開口する小袋状に形成されているので、上隅部２ａをこの開口に挿し込んで収納することにより、反りの発生を防止できる。
【００１６】
【発明の実施の形態】
本発明の実施の形態を実施例に基づいて図面を参照して説明する。本発明の上衣１００は、まず、所定長さの裾部１を有し、丈の長さを調整することができる上衣１００であればいかなるものであっても良い。勿論、婦人用であっても、紳士用であっても良い。
【００１７】
そして、上衣１００は、裾部１を裏側に折曲げて前記上衣１００の裏側に固定するための留め手段１０と、その折曲げられた折曲げ部２の少なくとも上隅部２ａの反りを防止する反り防止手段２０とを備えている。
【００１８】
この裾部１は、一般に上衣１００に形成される裾の部位をいい、本発明にあっては、着用者の略腰の高さから下に形成される上衣１００の下部のことをいう。この裾部１は、例えばオーバーコート、七分コート、ジャケット等いかなる種類の上衣１００の裾部１であっても良い。
【００１９】
また、折曲げ部２とは、裾部１を裏側に折曲げた状態における上衣１００の裏側に位置する裾部１の部位をいう。また、上隅部２ａとは、その状態における折曲げ部２の上側の両端に位置する部位をいう。
【００２０】
ここで、留め手段１０は、折曲げられた折曲げ部２を上衣１００の裏側に固定することができるものであればどのようなものであっても良く、例えばホック、ボタン、紐部材、ファスナー、面ファスナー、スナップ、接着シールが挙げられる。その取付位置は、上衣１００の裏側の、例えば裾部１の最下端にボタンを取り付け、それから一定距離をおいて上方にボタン止めを取り付ければ良い。あるいは裾部１の最下端に雄面ファスナーを取り付け、その上方に雌面ファスナーを取り付けても良い。さらにその上方にも雌面ファスナーを取り付けても良く、この場合は多段階に丈の長さを調節することができる。また、その取付個数は、裾部１を折曲げて固定することができる個数であればいかなる個数であっても良く、前身頃５、後見頃６を問わず設けて良い。
【００２１】
また、反り防止手段２０は、折曲げ部２の少なくとも上隅部２ａの反りを防止できるものであればどのようなものであっても良く、上隅部２ａを上衣１００の裏側に固定するものであっても良いし、上隅部２ａを上衣１００の裏側に押さえつけたり挟み込むようにするものであっても良い。例えば固定するものとしては、上隅部２ａに形成されたホック、ボタン、紐部材、ファスナー、面ファスナー、スナップ、接着シールが挙げられる。また、押さえつけたり挟み込むものとしては、請求項４記載のごとく前身頃５の側縁部７に形成された一辺が開口する小袋状のもの、又はクリップ、ゴム、折曲げ部２を上から覆う押さえ布が挙げられる。
【００２２】
さらに、請求項２又は３のごとく、折曲げ部２の膨らみを軽減する膨らみ軽減手段３０を備えていても良い。膨らみ軽減手段３０は、折曲げた状態におけるその折曲げ部２の膨らみを軽減することができるものであればどのようなものであっても良く、例えばホック、ボタン、紐部材、面ファスナー、スナップ、接着シールが挙げられる。その取付位置は、折曲げ部２の膨らみを軽減する位置であれば良く、例えば前身頃５の側縁部７に沿って上下方向に取り付けても良いし、折曲げ部２の下側部に沿って水平方向に取り付けても良い。この際、下側部の膨らみを軽減する位置であっても良いし、上側部の膨らみを軽減する位置であっても良いし、それらの中間位置であっても良い。また、その取付個数は、折曲げ部２の膨らみを軽減することができる個数、例えば１個（又は１対）、２個（又は２対）、などいかなる個数であっても良く、前身頃５、後見頃６を問わず設けて良い。
【００２３】
上記のように、裾部１の裏側に上下方向に所定間隔を存して留め手段１０を設けたことにより、裾部１を裏側に折曲げて固定することができる。これにより、上衣１００の丈の長さを容易に短くすることができる。また、この短くされた丈の長さを留め手段１０の留めを解除することにより、容易に上衣１００の丈の長さを長くすることができる。
【００２４】
また、請求項２又は３のごとく、膨らみ軽減手段３０を備えていると、折曲げ部２の裏側とこれに対向する裾部１の裏側とを着脱自在に取着して、折曲げ部２の膨らみを防止することができ、デザイン上もスッキリとしたイメージを与え、見栄えが良い。
【００２５】
さらに、請求項４のごとく、反り防止手段２０を小袋状に形成すると、折曲げられた折曲げ部２の上隅部２ａをその開口へ挿し込んで収納することができ、反りを容易に防止することができる。
【００２６】
以下、本発明の好ましい実施例について、添付図面を参照して説明する。
（実施例１）
【００２７】
上衣１００は、婦人用コートであり、図１に示すように、裾部１の裏側にスナップからなる留め手段１０を、裾部１を裏側に折曲げて上衣１００の裏側に固定できるように、水平方向に適宜間隔を設けて７個取り付けた。さらに、図２に示すように、折曲げ部２の少なくとも上隅部２ａの反りを防止する反り防止手段２０を前身頃５の側縁部７に取り付けた。
【００２８】
反り防止手段２０は、まず、前身頃５の裏側の生地と等しい材質及び色彩の生地を使用し、略直角三角形状に形成した。次に、前身頃５の側縁部７にあてがい、直角を挟む２辺を縫製して、他の１辺が開口する小袋状になるように取り付けた。
【００２９】
本実施例１によれば、特に、反り防止手段２０を小袋状に形成したので、簡単に折曲げ部２の上隅部２ａを挿し込むことができ、図３に示すように、上隅部２ａの反りを防止することができる。また、裾部１の裏地と等しい材質及び色彩からなるので、目立ちにくくデザイン上スッキリとしたイメージを与え、見栄えが良い。さらに、三角形状に形成したので、裏地が厚くなることがない。
【００３０】
（実施例２）
次に、他の実施例について、図４及び５を参照して説明する。実施例２は実施例１の裾部１の裏側に、雌雄面ファスナーからなる膨らみ軽減手段３０を取り付けたものである。
【００３１】
膨らみ軽減手段３０は、図４に示すように、裾部１の裏側に、最下部とその上方とに取り付けられた留め手段１０間の上下距離の略中央位置に、水平方向に適宜間隔を設けて４個取り付けた。ただし、１個のみ、２個のみ、その他多数を適宜選択、変更可能である。また、上下方向に取り付けても良い。したがって、図５に示すように、折曲げられた状態における折曲げ部２の膨らみ、特に下側部の膨らみを軽減することができ、デザイン上もスッキリとしたイメージを与えることができる。
【００３２】
以上、実施例に基づいて本発明を説明したが、本発明は上記実施例に何ら限定されるものではなく、本発明の趣旨を逸脱しない範囲内で種々の改良変形が可能である。
【００３３】
【発明の効果】
請求項１記載の上衣によれば、留め手段を設けたことにより、裾部を折曲げて留め手段を固定し、又は留め手段の固定を解除して裾部を伸ばすことができ、容易且つ確実に丈の長さを調節することができるという効果を奏する。さらに、反り防止手段を備えているので、折曲げ部の少なくとも上隅部の反りを防止することができるという効果を奏する。
【００３４】
請求項２記載の上衣によれば、上記丈の長さを調節することができる効果に加え、さらに、膨らみ軽減手段を備えているので、折曲げ部の膨らみを軽減することができるという効果を奏する。
【００３５】
請求項３記載の上衣によれば、留め手段と、反り防止手段と、膨らめ軽減手段とを備えているので、上衣の丈の長さを調節することができ、裾部が折曲げられた状態における折曲げ部の上隅部の反りの発生を防止することができるうえ、さらに、その状態の折曲げ部の膨らみを軽減することができる効果を奏する。
【００３６】
請求項４記載の上衣によれば、請求項１又は３に記載の上衣の奏する効果に加え、反り防止手段は、前身頃の側縁部であって、一辺が開口するように形成されているので、折曲げ部の上隅部をこの開口へ挿し込んで収納することにより、容易に反りを防止することができるという効果を奏する。
【図面の簡単な説明】
【図１】本発明の実施例１の上衣の身頃の裏側を示す斜視図である。
【図２】上記実施例１の反り防止手段に裾部の上隅部を挿し込んだ状態を示す斜視図である。
【図３】上記実施例１の裾部を折曲げた状態を示す側面図である。
【図４】実施例２の上衣の裏側を示す斜視図である。
【図５】上記実施例２の裾部を裏側へ折曲げた状態を示す側面図である。
【符号の説明】
１　　　裾部
２　　　折曲げ部
２ａ　　上隅部
５　　　前身頃
６　　　後見頃
７　　　側縁部
１０　　留め手段
２０　　反り防止手段
３０　　膨らみ軽減手段
１００　上衣
【図１】
2004036014.tif 000003
【図２】
2004036014.tif 000004
【図３】
2004036014.tif 000005
【図４】
2004036014.tif 000006
【図５】
2004036014.tif 000007